(57)【要約】【課題】正確な遊技球数の流下が可能な弾球遊技機を提供する。【解決手段】弾球遊技機１は、遊技球を外周に形成した球受け部３９ａに受けて回転することにより遊技球を球通路２４の下流側へ送り出すスプロケット３９のシャフト４１の外周に、スプロケット３９の回転速度を抑制する押しバネ４２を備える。【選択図】図４
2005152129.tif 000002
【特許請求の範囲】
【請求項１】
遊技球を貯留する球タンクから、払い出された遊技球を受ける皿へ、前記遊技球を導く球通路と、
該球通路内に配置され、前記遊技球を外周に形成した球受け部に受けて回転することにより前記遊技球を前記球通路の下流側へ送り出すスプロケットと、
遊技球の払い出し指令に基づき、前記スプロケットの回転の規制を解除する電気駆動装置とを備える弾球遊技機であって、
前記スプロケットの回転速度を抑制する速度抑制手段を備えることを特徴とする弾球遊技機。
【請求項２】
前記スプロケットは、回転軸により支持され、前記回転軸は、スプロケットの前記回転軸線方向への移動を制限するストッパ部によってその両端を支持され、
前記速度抑制手段は、前記回転軸の外周に装着され、前記スプロケットを前記ストッパ部側へ付勢するバネ部材であることを特徴とする請求項１に記載の弾球遊技機。
【発明の詳細な説明】
【技術分野】
【０００１】
本発明は、センサ制御に基づいて遊技球を導出するパチンコ機等の弾球遊技機に関する。
【背景技術】
【０００２】
従来のパチンコ機は、その背面に、球タンクに貯留された遊技球をパチンコ機前面に配置された上皿へ導く払出装置を備える。払出装置は、主に、遊技球が通過する球通路と、球通路内に配置され、回転することにより遊技球を球通路の下流側へ送り出すスプロケットと、スプロケットの回転を適宜規制・規制解除する電磁ソレノイドとから構成される。遊技球の払出や貸出を行う際には、電磁ソレノイドがスプロケットの回転規制を解除することによりスプロケットが回転し、遊技球が球通路を下流側へ通過することが可能となる（例えば、特許文献１参照。）。
【０００３】
この電磁ソレノイドによるスプロケットの回転規制は、制御基板からの電気信号を受けて行われる。具体的には、所定の払出が行われる場合は、まず、制御基板が電磁ソレノイドを駆動させ、スプロケット回転規制の解除をし、遊技球を自由に流下させる。次に、スプロケットの下流に設けた近接センサや光センサで遊技球の通過を検知し、この検知に基づいて、制御基板で流下する遊技球数のカウントを行う。そして、所定の遊技球数のカウントに達した後に、制御基板は電磁ソレノイドをスプロケット回転規制するように、通電を解除する。
【特許文献１】特開２００１−３２１５２１号公報
【発明の開示】
【発明が解決しようとする課題】
【０００４】
しかしながら、センサにおいて遊技球を検知してからスプロケットの回転を規制するまでには、ある程度の時間を要する。このため、スプロケットの回転に勢いが増すと、遊技球の流下速度が速くなり、遊技球の検知処理からスプロケットの回転規制処理までの応答の遅れにより、遊技球の過流下が発生する可能性がある。
【０００５】
そこで、上記の課題に鑑み、本発明は、正確な遊技球数の流下が可能な弾球遊技機を提供することを目的とする。
【課題を解決するための手段】
【０００６】
上記課題を解決するために、本発明の第１の特徴は、遊技球を貯留する球タンクから、払い出された遊技球を受ける皿へ、遊技球を導く球通路（例えば、球通路２４）と、球通路内に配置され、遊技球を外周に形成した球受け部に受けて回転することにより遊技球を球通路の下流側へ送り出すスプロケット（例えば、スプロケット３９）と、遊技球の払い出し指令に基づき、スプロケットの回転の規制を解除する電気駆動装置（例えば、電磁ソレノイド３２ｂ）とを備える弾球遊技機であって、スプロケットの回転速度を抑制する速度抑制手段（例えば、押しバネ４２）を備える弾球遊技機であることを要旨とする。
【０００７】
第１の特徴に係る弾球遊技機によると、スプロケットの回転速度を抑制することにより、遊技球の検知処理からスプロケットの回転規制処理までの応答の遅れによる遊技球の過流下を防止することができる。
【０００８】
又、第１の特徴に係る弾球遊技機において、スプロケットは、回転軸（例えば、シャフト４１）により支持され、回転軸は、スプロケットの回転軸線方向への移動を制限するストッパ部によってその両端を支持され、速度抑制手段は、回転軸の外周に装着され、スプロケットをストッパ部側へ付勢するバネ部材（例えば、押しバネ４２）であってもよい。この弾球遊技機によると、簡便な構造で、遊技球の検知処理からスプロケットの回転規制処理までの応答の遅れによる遊技球の過流下を防止することができる。
【発明の効果】
【０００９】
本発明によれば、正確な遊技球数の流下が可能な弾球遊技機を提供することができる。
【発明を実施するための最良の形態】
【００１０】
次に、図面を参照して、本実施形態を説明する。以下の図面の記載において、同一又は類似の部分には、同一又は類似の符号を付している。ただし、図面は模式的なものであり、各寸法の比率等は現実のものとは異なることに留意すべきである。従って、具体的な寸法等は以下の説明を参酌して判断すべきものである。又、図面相互間においても互いの寸法の関係や比率が異なる部分が含まれていることは勿論である。
【００１１】
本実施形態における弾球遊技機１は、図１に示すように、遊技場の島設備に弾球遊技機１を設置するために設けられている外枠５と、外枠５の内側に設けられた中枠６に回動可能に軸支されている前枠７と、遊技盤３上の遊技領域に向けて遊技球を発射するため、回転操作される発射ハンドル４と、遊技球を受け入れる皿２とを備える。
【００１２】
遊技盤３上の遊技領域には、大入賞口８、アウト口９、始動口１０、一般入賞口１６などが具備されている。大入賞口８は、遊技状態が大当り状態となったときに所定の条件で開閉し、当該大入賞口８に遊技球が入賞すると、所定数（例えば、１５個）の遊技球が賞球として払い出されるように構成されている。アウト口９は、始動口１０や大入賞口８や一般入賞口１６などのいずれにも入球しなかった遊技球を受け入れる。始動口１０は、当該始動口１０に具備されている始動領域を遊技球が通過したことを条件として大当り判定用乱数値などが抽出されるように構成されている。一般入賞口１６は、当該一般入賞口１６に遊技球が入賞すると、所定数の遊技球（例えば、１５個）が賞球として払い出されるように構成されている。
【００１３】
図２は、本実施形態における弾球遊技機１の裏側を示す斜視図である。図２に示すように、弾球遊技機１は、遊技球を貯留する球タンク１１と、球タンク１１から、払い出しあるいは貸し出された遊技球を払出装置１３へ導く２本の球レール１２と、補給された複数の遊技球の中から所定数の遊技球を払い出すように構成された払出装置１３と、電子部品が配備された制御基板１４を収容する基板ケースとを裏側に具備している。
【００１４】
又、図３に示すように、球レール１２から払出装置１３へ補給された遊技球は、払出装置１３によって、皿２あるいは、外部へ続く排出口へ誘導される。払出装置１３には、切換スイッチ３７が設けられ、切換スイッチ３７が遊技時（図３では右側）に設定されている場合は、遊技球は皿２へ、切換スイッチ３７が球抜き（図３では左側）に設定されている場合は、遊技球は外部へ続く排出口へ誘導される。
【００１５】
払出装置１３は、図４に示すように、第１の払出ユニット２１、第２の払出ユニット２２、第３の払出ユニット２３から構成される。第１の払出ユニット２１と第３の払出ユニット２３は、その内部に球通路２４を有し、第２の払出ユニット２２を間に挟んで組み立てられる。払出装置１３は、第１の払出ユニット２１と第２の払出ユニット２２間の球通路２４、及び、第２の払出ユニット２２と第３の払出ユニット２３間の球通路２４の２本の球通路２４により、２本の球レール１２から導かれた遊技球を誘導する。
【００１６】
第１の払出ユニット２１は、スプロケット３９の回転軸となるシャフト４１の一端を保持するシャフト支持ボス４０ａを備え、第３の払出ユニット２３は、シャフト４１の他端を保持するシャフト支持ボス４０ｂを備える。
【００１７】
第２の払出ユニット２２は、その内部に、電気駆動装置３２と、球検知センサ３３と、スプロケット３９とを備える。スプロケット３９の回転軸となるシャフト４１の外周には、押しバネ４２及びワッシャ４３が装着される。
【００１８】
電気駆動装置３２は、図５に示すように、バネ３２ａと、電磁ソレノイド３２ｂと、フラップ３２ｃとを備える。フラップ３２ｃは、バネ３２ａの力により、通常は、スプロケット３９の回転を規制する状態となっている。遊技球の払い出し、あるいは貸し出しが行われる際は、電磁ソレノイド３２ｂの励磁動作により、フラップ３２ｃが電磁ソレノイド３２ｂに引きつけられ、スプロケット３９の回転規制が解除される。
【００１９】
球検知センサ３３は、球通路２４を通過する遊技球を検知する。球検知センサ３３の信号は、制御基板１４に入力され、制御基板１４によって、球通路２４を通過した遊技球の数が認識される。
【００２０】
スプロケット３９は、球通路２４内に配置され、遊技球を球通路２４の下流側へ送り出す。スプロケット３９は、図６に示すように、１２０度の間隔で配置された３枚の羽根が両側に形成された形状を有し、両側の羽根はそれぞれ６０度ずつずれて形成されている。スプロケット３９は、羽根の内側に球受け部３９ａを有し、遊技球を１つずつ球受け部３９ａに受け、下流側へ送り出す。
【００２１】
又、スプロケット３９は、図７に示すように、回転軸となるシャフト４１を有し、シャフト４１の外周には、押しバネ４２及びワッシャ４３が装着される。押しバネ４２及びワッシャ４３を装着したシャフト４１を、第１の払出ユニット２１のシャフト支持ボス４０ａ及び第２の払出ユニット２２のシャフト支持ボス４０ｂに固定した断面図を図８に示す。このように、シャフトの外周に装着された押しバネ４２は、スプロケット３９をシャフト支持ボス側（図８では、第３の払出ユニット２３のシャフト支持ボス４０ｂ側）へ付勢する。スプロケット３９は、第３の払出ユニット２３へ押しつけられることにより、回転速度が抑制される。
【００２２】
尚、本実施形態において、球通路２４は、遊技球を貯留する球タンクから、払い出された遊技球を受ける皿へ、遊技球を導く球通路を構成し、スプロケット３９は、球通路内に配置され、遊技球を外周に形成した球受け部に受けて回転することにより遊技球を球通路の下流側へ送り出すスプロケットを構成し、電磁ソレノイド３２ｂは、遊技球の払い出し指令に基づき、スプロケットの回転の規制を解除する電気駆動装置を構成する。又、押しバネ４２は、スプロケットの回転速度を抑制する速度抑制手段、及び、回転軸（シャフト４１）の外周に装着され、スプロケットをストッパ部（シャフト支持ボス４０ａ、４０ｂ）側へ付勢するバネ部材を構成する。
【００２３】
（本実施形態に係る弾球遊技機の作用、及び、効果）
本実施形態に係る弾球遊技機１によると、遊技球を外周に形成した球受け部３９ａに受けて回転することにより遊技球を球通路２４の下流側へ送り出すスプロケット３９の回転速度を抑制する押しバネ４２を備えることができる。このため、スプロケット３９の回転速度を抑制することにより、遊技球の検知処理からスプロケット３９の回転規制処理までの応答の遅れによる遊技球の過流下を防止することができる。
【００２４】
又、本実施形態に係る弾球遊技機１によると、スプロケット３９は、シャフト４１により支持され、シャフト４１は、スプロケットの回転軸線方向への移動を制限するシャフト支持ボス４０ａ、４０ｂによってその両端を支持される。押しバネ４２は、シャフト４１の外周に装着され、スプロケット３９をシャフト支持ボス４０ａ、４０ｂ側へ付勢することができる。このため、簡便な構造で、遊技球の検知処理からスプロケットの回転規制処理までの応答の遅れによる遊技球の過流下を防止することができる。
【００２５】
（その他の実施の形態）
本発明は上記の実施の形態によって記載したが、この開示の一部をなす論述及び図面はこの発明を限定するものであると理解すべきではない。この開示から当業者には様々な代替実施の形態、実施例及び運用技術が明らかとなろう。
【００２６】
例えば、本実施形態に係る弾球遊技機１において、速度抑制手段として、押しバネ４２を使用したが、その他、回転軸をケースに固定してある場合には、回転軸とスプロケットの間、回転軸をスプロケットに固定している場合には、回転軸と軸支部の間に摺動抵抗を増加させる各種物質を介在させ、速度抑制手段として機能させてもよい。このような物質としては、例えば、オイルやグリス、エラストマなどが挙げられる。
【００２７】
このように、本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【００２８】
【図１】本実施形態に係る弾球遊技機の概観図である。
【図２】本実施形態に係る弾球遊技機の裏面概観図である。
【図３】図２における払出装置の拡大図である。
【図４】本実施形態に係る弾球遊技機の払出装置の分解斜視図である。
【図５】本実施形態に係る弾球遊技機の第２の払出ユニットの正面図である。
【図６】図４におけるスプロケットの拡大図である。
【図７】図４におけるスプロケットに押しバネを装着した図である。
【図８】本実施形態に係る弾球遊技機の払出装置にスプロケットを配置した際の断面図である。
【符号の説明】
【００２９】
１…弾球遊技機、２…皿、３…遊技盤、４…発射ハンドル、５…外枠、６…中枠、７…内枠、８…大入賞口、９…アウト口、１０…始動口、１１…球タンク、１２…球レール、１３…払出装置、１６…一般入賞口、２１…第１の払出ユニット、２２…第２の払出ユニット、２３…第３の払出ユニット、２４…球通路、３２…電気駆動装置、３３…球検知センサ、３９…スプロケット、３９ａ…球受け部、４０ａ、４０ｂ…シャフト支持ボス、４１…シャフト
【図１】
2005152129.tif 000003
【図２】
2005152129.tif 000004
【図３】
2005152129.tif 000005
【図４】
2005152129.tif 000006
【図５】
2005152129.tif 000007
【図６】
2005152129.tif 000008
【図７】
2005152129.tif 000009
【図８】
2005152129.tif 000010